【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
式１：
【化１】
2015515514.tif 000001
親水性シリコーンマクロマーを少なくとも一つ含む組成物であって、
式中、Ｒ２がＭｆＤｇＴｈＱｉＲ６ｊによって定義される基であり、ここでＭ＝Ｒ７Ｒ８Ｒ９ＳｉＺ１／２、Ｄ＝Ｒ１０Ｒ１１ＳｉＺ２／２、Ｔ＝Ｒ１２ＳｉＺ３／２、Ｑ＝ＳｉＺ４／２、Ｒ６＝−（ＣＨ２）１／２（Ｒ１３）ｋ（ＣＨ２）１／２であり、Ｒ１が独立して、−ＯＨ、−ＯＣ（Ｏ）Ｒ１５、Ｙもしくは−ＯＲ１５より選択され、Ｒ５が独立して、水素、−Ｃ（Ｏ）Ｒ１５基、Ｙ、または１から約４０個の炭素原子を持ち、任意選択でヘテロ原子および／もしくはヒドロキシル基を持つ一価の炭化水素ラジカルから選択され、Ｒ１およびＲ１５の少なくとも一つがＹであり、Ｙがフリーラジカル重合可能な基であり、ＺがＯもしくはＣＨ２基であり、マクロマーが偶数のＯ１／２基と、偶数の（ＣＨ２）１／２基を持ち、かつその両者がすべて分子中で対になっているという限定に従い、Ｒ３が１から約４０個の炭素原子を持ち、任意選択でヘテロ原子および／もしくはヒドロキシル基を持つ三価の炭化水素ラジカルであり、Ｒ７、Ｒ８、Ｒ９、Ｒ１０、Ｒ１１、Ｒ１２、およびＲ１５がそれぞれ独立してＯＲ１４、１から約２０個の炭素原子を持ち、任意選択でヘテロ原子および／もしくはヒドロキシル基を持つ一価の炭化水素ラジカルから選択され、Ｒ４が、少なくとも１個から約３０個までの炭素原子を持ち、任意選択でヘテロ原子および／もしくはヒドロキシル基を持つ、二価の、直鎖もしくは分岐の、不飽和もしくは飽和の、炭化水素ラジカルであり、Ｒ１３が、酸素、または少なくとも１個から約３０個の炭素原子を持ち、任意選択でヘテロ原子および／もしくはヒドロキシル基を持つ、二価の、直鎖もしくは分岐の、不飽和もしくは飽和の、炭化水素ラジカルであり、Ｒ１４が、１から約２０個の炭素原子を持ち、任意選択でヘテロ原子および／もしくはヒドロキシル基を持つ、一価の、直鎖もしくは分岐の、不飽和もしくは飽和の炭化水素ラジカルであり、ａ＋ｅ＞２であり、ｂ、ｃおよびｄがゼロもしくは正であり、３＜ａ＋ｂ＋ｃ＋ｄ＋ｅ＜約１０００という限定に従い、ｄ＋ｅ＞１であり、ｆ、ｇ、ｈ、ｉおよびｊが０もしくは正であり、ｆ＋ｇ＋ｈ＋ｉ＋ｊ＜約３００という限定に従い、そしてｋが０もしくは１のいずれかである、組成物。
【請求項２】
親水性シリコーンマクロマーが、式：
Ｒ１（ＣＨ２ＣＨ２Ｏ）ａ（ＣＨ（ＣＨ３）ＣＨ２Ｏ）ｂ（ＣＨ［（ＣＨ２）１／２Ｒ２］ＣＨ２Ｏ）ｄＲ５
による構造を持つ、請求項１に記載の組成物。
【請求項３】
Ｒ２がＭｆＤｇＴｈＱｉＲ６ｊによって定義され、Ｍ＝Ｒ７Ｒ８Ｒ９Ｓｉ（Ｏ）１／２、Ｄ＝Ｒ１０Ｓｉ（Ｏ）２／２（ＣＨ２）１／２、ｆ＝２、ｇ＝１、ｈ＝０、ｉ＝０、ｊ＝１であり、Ｒ６＝−（ＣＨ２）１／２Ｒ１３（ＣＨ２）１／２である、またはＲ２がＭｆＤｇＴｈＱｉＲ６ｊによって定義され、Ｍ＝Ｒ７Ｒ８Ｒ９Ｓｉ（Ｏ）１／２、Ｔ＝Ｓｉ（Ｏ）３／２（ＣＨ２）１／２、ｆ＝３、ｇ＝０、ｈ＝１、ｉ＝０、ｊ＝１およびＲ６＝−（ＣＨ２）１／２Ｒ１３（ＣＨ２）１／２−である、またはＲ２が、Ｒ７Ｒ８Ｒ９ＳｉＯ（Ｓｉ（Ｒ１０）（Ｒ１１）Ｏ）ｌＳｉ（Ｒ７）（Ｒ８）（ＣＨ２）１／２で定義される基であり、ここで０≦ｌ≦２００である、請求項２に記載の組成物。
【請求項４】
親水性マクロマーが式：
【化２】
2015515514.tif 000002
を持ち、式中、Ｒ２が、Ｒ７Ｒ８Ｒ９ＳｉＯ（Ｓｉ（Ｒ１０）（Ｒ１１）Ｏ）ｌＳｉ（Ｒ７）（Ｒ８）（ＣＨ２）１／２で定義される基であり、ここで０≦ｌ≦２００である、請求項１に記載の組成物。
【請求項５】
親水性マクロマーが、式：
【化３】
2015515514.tif 000003
であり、式中、Ｒ１が独立して、−ＯＨ、−ＯＣ（Ｏ）Ｒ１５、−ＯＲ１５もしくはＹより選択され、Ｒ５が独立して、水素、−Ｃ（Ｏ）Ｒ１５基、１から約４０個の炭素原子を持ち、任意選択でヘテロ原子およびヒドロキシル基を持つ一価の炭化水素ラジカル、またはＹから選択され、Ｙがフリーラジカル重合可能な基でありかつＲ１およびＲ５の少なくとも一つはＹであるという条件であり、Ｒ１９は、１から１００個の炭素原子を持ち、ハロゲン、酸素、窒素から選択されるヘテロ原子を含み得る直鎖、分岐もしくは環状の一価のラジカル、または、１から５０個のＳｉ−Ｏの直鎖もしくは環状の架橋を持つシロキサンラジカルから独立して選択され、ａおよびｄがゼロではない整数であり、２≦ａ＋ｄ≧１０００であり、一実施態様において２≦ａ＋ｄ≧１００であり、他の実施態様において５≦ａ＋ｄ≧５０である、請求項１に記載の組成物。
【請求項６】
親水性マクロマーが、式：
【化４】
2015515514.tif 000004
であり、式中、Ｒ１が独立して、−ＯＨ、−ＯＣ（Ｏ）Ｒ１５、−ＯＲ１５もしくはＹより選択され、Ｒ５が独立して、水素、−Ｃ（Ｏ）Ｒ１５基、１から約４０個の炭素原子を持ち、任意選択でヘテロ原子およびヒドロキシル基を持つ一価の炭化水素ラジカル、またはＹから選択され、Ｙがフリーラジカル重合可能な基でありかつＲ１およびＲ５の少なくとも一つはＹであるという条件であり、Ｒ１９が、１から１００個の炭素原子を持ち、ハロゲン、酸素、窒素から選択されるヘテロ原子を任意選択で含む直鎖、分岐もしくは環状の一価のラジカル、または、１から５０個のＳｉ−Ｏの直鎖もしくは環状の架橋を持つシロキサンラジカルから独立して選択され、ａおよびｄはゼロではない整数であり、２≦ａ＋ｅ≧１０００であり、より好ましくは２≦ａ＋ｅ≧１００であり、さらにより好ましくは５≦ａ＋ｅ≧５０である、請求項１に記載の組成物。
【請求項７】
Ｙが一般構造：
【化５】
2015515514.tif 000005
を持つ重合可能な基より選択され、
式中、Ｒ１６、Ｒ１７およびＲ１８は、独立して、水素、１から１０個の炭素原子を持ち、任意選択でヘテロ原子、−ＣＯＯＨおよび−ＣＨ２ＣＯＯＨを持つ、置換のもしくは不置換の一価のアルキル基である、請求項１〜６のいずれか一項に記載の組成物。
【請求項８】
架橋基Ｂが１から２０個の炭素原子を持ち、任意選択でヘテロ原子を含む二価のラジカルから、または以下の官能性部分：
【化６】
2015515514.tif 000006
【化７】
2015515514.tif 000007
【化８】
2015515514.tif 000008
【化９】
2015515514.tif 000009
【化１０】
2015515514.tif 000010
【化１１】
2015515514.tif 000011
から選択される、請求項７に記載の組成物。
【請求項９】
組成物がヒドロゲルである請求項１〜８のいずれか一項に記載の組成物。
【請求項１０】
ヒドロゲルが、ビニルモノマー、アクリリドモノマー、アクリルモノマー、もしくはそれらの二つもしくはそれ以上の組み合わせから選択されるモノマー、フリーラジカル開始剤、および任意にて架橋剤をさらに含み、ここでビニルモノマーが、Ｎ−ビニル−ピロリドン（ＮＶＰ）、Ｎ−ビニル−カプロラクタム、Ｎ−ビニル−アセトアミド、Ｎ−ビニル−ホルムアミド、Ｎ−ビニル−イソプロピルアミド、ビニルベンゼン、ビニルナフタレン、ビニルピリジン、ビニルアルコール、ビニル含有シリコーン、またはそれらの二つもしくはそれ以上の組み合わせから選択され、ここでアクリルモノマーが、２−ヒドロキシ−エチル−メタクリラート（ＨＥＭＡ）、２−ヒドロキシ−エチル−アクリラート（ＨＥＡ）、ヒドロキシルプロピルメタクリラート、トリメチルアンモニウム２−ヒドロキシプロピルメタクリラートヒドロクロリド、ジメチルアミノエチルメタクリラート、グリセロールメタクリラート、Ｎ，Ｎ−ジメチルアクリルアミド（ＤＭＡ）、Ｎ−イソプロピルアクリルアミド、アクリルアミド、メタクリルアミド、アクリル酸、メタクリル酸、またはそれらの二つもしくはそれ以上の組み合わせから選択され、ここで開始剤が、２，２’−アゾビス（２，４−ジメチルペンタンニトリル）、２，２’−アゾビス（２−メチルプロパンニトリル）、２，２’−アゾビス（２−メチルブタンニトリル）、ベンゾイルペルオキシドのようなペルオキシド、ベンゾインメチルエーテル、ジエトキシアセトフェノン、ベンゾイルホスフィンオキシド、２−ヒドロキシ−２−メチルプロピオフェノン（ＨＭＰＰ）、１−ヒドロキシシクロヘキシルフェニルケトン、Ｄａｒｏｃｕｒ型開始剤、Ｉｇｒａｃｕｒｅ型開始剤、またはそれらの二つもしくはそれ以上の組み合わせから選択される熱開始剤もしくは光開始剤であってよく、ここで架橋剤が、エチレングリコールジメタクリラートおよびトリメチロイルプロパントリメタクリラート、ジエチレングリコールジメタクリラート、ビスフェノールＡジメタクリラート、ジグリシジルビスフェノールＡジメタクリラート、ジメタクリラート末端化ポリエチレングリコールおよび反応性直鎖ポリエーテル修飾シリコーンまたはそれらの二つもしくはそれ以上の組み合わせから選択できる、請求項9に記載の組成物。
【請求項１１】
請求項９から１０のいずれか一項に記載の組成物を含むコンタクトレンズ。
【請求項１２】
１５〜１２５℃の範囲の抽出温度において、水、有機もしくは無機塩溶液、緩衝剤、エマルション、市販のレンズ洗浄溶液、もしくは眼科用に適合した溶液から選択される低公害もしくは水性の溶媒をさらに含む限定抽出プロトコールを含む、請求項１１に記載のコンタクトレンズ。
【請求項１３】
水性シリコーンマクロマーを含むポリマーを含む、請求項１〜８のいずれか一項に記載の組成物。
【請求項１４】
組成物が、布地処理配合物、紙処理配合物、皮革処理配合物、パーソナルケア配合物、ヘルスケア配合物、ホームケア配合物、コーティング配合物、塗料配合物、種子処理配合物におけるフィルム形成添加剤である、請求項１３に記載の組成物。